【手続補正書】
【提出日】平成23年7月20日(2011.7.20)
【手続補正１】
【補正対象書類名】特許請求の範囲
【補正対象項目名】全文
【補正方法】変更
【補正の内容】
【特許請求の範囲】
【請求項１】
複数の視点で撮像された撮像画像を立体表示する前に、前記撮像画像から生成された縮小画像を一覧で表示する表示手段と、
前記一覧中の前記縮小画像を選択する選択指示が入力される指示入力手段と、
前記選択指示が入力されて前記撮像画像を立体表示するときに、選択された前記縮小画像に対応する複数視点の前記撮像画像を、前記撮像画像中の特定対象の検出領域にて互いに位置合わせする位置合わせ手段と、
前記特定対象の前記検出領域を示す検出領域情報を前記縮小画像中に付加する表示制御手段と、
を備えることを特徴とする立体画像表示装置。
【請求項２】
前記表示制御手段は、前記縮小画像に前記検出領域を示す枠を重ね合わせることを特徴とする請求項１に記載の立体画像表示装置。
【請求項３】
前記表示制御手段は、前記縮小画像中の前記検出領域の輝度を上げることで、前記検出領域をハイライト表示することを特徴とする請求項１に記載の立体画像表示装置。
【請求項４】
前記表示制御手段は、立体表示する前記撮像画像に対応する前記縮小画像には前記検出領域情報を付加し、立体表示しない前記撮像画像に対応する前記縮小画像には前記検出領域情報を付加しないことを特徴とする請求項１ないし３のうちいずれか１項に記載の立体画像表示装置。
【請求項５】
前記撮像画像中の前記検出領域内の色および前記検出領域周辺の色に基づいて、前記検出領域情報の表示色を決定する表示色決定手段を備え、
前記表示制御手段は、決定された表示色で前記検出領域情報を表示することを特徴とする請求項１ないし４のうちいずれか１項に記載の立体画像表示装置。
【請求項６】
前記指示入力手段に前記選択指示が入力されたときには、前記選択指示に従って選択された前記縮小画像に対応した前記撮像画像であって前記位置合わせ手段により位置合わせされた前記撮像画像を内部メモリに記憶し、前記指示入力手段に表示終了指示が入力されたときには、前記内部メモリに記憶された位置合わせ済の前記撮像画像を一括して外部の記録媒体に記録する記録制御手段を備えることを特徴とする請求項１ないし５のうちいずれか１項に記載の立体画像表示装置。
【請求項７】
複数視点で撮像を行う撮像手段と、
前記撮像手段により撮像を行うとともに前記撮像画像の記録を行う際に、前記位置合わせ手段による前記撮像画像間の位置合わせを行わず、前記撮像画像を立体表示するときに、前記位置合わせ手段による前記撮像画像間の位置合わせを行う実行制御手段と、
を備えることを特徴とする請求項１ないし６のうちいずれか１項に記載の立体画像表示装置。
【請求項８】
立体表示可能な表示手段を用い、複数の視点で撮像された撮像画像を立体表示する前に、前記撮像画像から生成された縮小画像を一覧で表示する立体画像表示方法であって、
前記撮像画像中の特定対象の検出領域を示す検出領域情報が付加された前記縮小画像を前記表示手段により一覧で表示するステップと、
前記一覧中の前記縮小画像を選択する選択指示が入力されるステップと、
前記選択指示が入力されて前記撮像画像を立体表示するとき、選択された前記縮小画像に対応する複数視点の前記撮像画像を、前記撮像画像中の前記検出領域にて互いに位置合わせするステップと、
前記検出領域にて互いに位置合わせされた複数視点の前記撮像画像を、前記表示手段により立体表示するステップと、
を備えることを特徴とする立体画像表示方法。
【手続補正２】
【補正対象書類名】明細書
【補正対象項目名】００１９
【補正方法】変更
【補正の内容】
【００１９】
前記目的を達成するために、請求項１の発明は、複数の視点で撮像された撮像画像を立体表示する前に、前記撮像画像から生成された縮小画像を一覧で表示する表示手段と、前記一覧中の前記縮小画像を選択する選択指示が入力される指示入力手段と、前記選択指示が入力されて前記撮像画像を立体表示するときに、選択された前記縮小画像に対応する複数視点の前記撮像画像を、前記撮像画像中の特定対象の検出領域にて互いに位置合わせする位置合わせ手段と、前記特定対象の前記検出領域を示す検出領域情報を前記縮小画像中に付加する表示制御手段と、を備えることを特徴とする立体画像表示装置を提供する。
【手続補正３】
【補正対象書類名】明細書
【補正対象項目名】００２０
【補正方法】変更
【補正の内容】
【００２０】
これによれば、縮小画像の一覧表示の際には、特定対象の検出領域を視認させる検出領域情報が付加された縮小画像が表示され、複数視点の撮像画像（本画像）の立体表示の際には、特定対象の検出領域にて互いに位置合わせされた複数視点の撮像画像が立体表示されるので、ユーザは、縮小画像が一覧表示されたときには、後の本画像の立体表示で立体視するための注目領域を予め一目で判別することができる。よって、本画像が立体表示されたときには、即座に立体視できる。
【手続補正４】
【補正対象書類名】明細書
【補正対象項目名】００２２
【補正方法】変更
【補正の内容】
【００２２】
請求項２の発明は、前記表示制御手段は、前記縮小画像に前記検出領域を示す枠を重ね合わせることを特徴とする。
【手続補正５】
【補正対象書類名】明細書
【補正対象項目名】００２３
【補正方法】変更
【補正の内容】
【００２３】
これによれば、前記縮小画像に前記検出領域を示す枠を重ね合わせることで、注目領域をユーザに対して容易に示すことができる。
【手続補正６】
【補正対象書類名】明細書
【補正対象項目名】００２４
【補正方法】変更
【補正の内容】
【００２４】
請求項３の発明は、前記表示制御手段は、前記縮小画像中の前記検出領域の輝度を上げることで、前記検出領域をハイライト表示することを特徴とする。
【手続補正７】
【補正対象書類名】明細書
【補正対象項目名】００２５
【補正方法】変更
【補正の内容】
【００２５】
これによれば、前記縮小画像中の前記検出領域の輝度を上げることで、注目領域をユーザに対して容易に示すことができる。
【手続補正８】
【補正対象書類名】明細書
【補正対象項目名】００２６
【補正方法】変更
【補正の内容】
【００２６】
請求項４の発明は、前記表示制御手段は、立体表示する前記撮像画像に対応する前記縮小画像には前記検出領域情報を付加し、立体表示しない前記撮像画像に対応する前記縮小画像には前記検出領域情報を付加しないことを特徴とする。
【手続補正９】
【補正対象書類名】明細書
【補正対象項目名】００２７
【補正方法】変更
【補正の内容】
【００２７】
これによれば、ユーザは、どの画像が立体表示され、どの画像が立体表示されないかを、縮小画像の一覧表示の際に予め知ることができるので、立体表示されたときにはユーザに違和感を与えることがなく、また、ユーザに立体表示されるという期待感を与えることができる。
【手続補正１０】
【補正対象書類名】明細書
【補正対象項目名】００２９
【補正方法】変更
【補正の内容】
【００２９】
これによれば、縮小画像における特定対象の検出領域を、視認性良くユーザに認識させることができる。
【手続補正１１】
【補正対象書類名】明細書
【補正対象項目名】００３０
【補正方法】変更
【補正の内容】
【００３０】
請求項６の発明は、前記指示入力手段に前記選択指示が入力されたときには、前記選択指示に従って選択された前記縮小画像に対応した前記撮像画像であって前記位置合わせ手段により位置合わせされた前記撮像画像を内部メモリに記憶し、前記指示入力手段に前記撮像画像の表示終了指示が入力されたときには、前記内部メモリに記憶された位置合わせ済の前記撮像画像を一括して外部の記録媒体に記録する記録制御手段を備えることを特徴とする。
【手続補正１２】
【補正対象書類名】明細書
【補正対象項目名】００３４
【補正方法】変更
【補正の内容】
【００３４】
請求項８の発明は、立体表示可能な表示手段を用い、複数の視点で撮像された撮像画像を立体表示する前に、前記撮像画像から生成された縮小画像を一覧で表示する立体画像表示方法であって、前記撮像画像中の特定対象の検出領域を示す検出領域情報が付加された前記縮小画像を前記表示手段により一覧で表示するステップと、前記一覧中の前記縮小画像を選択する選択指示が入力されるステップと、前記選択指示が入力されて前記撮像画像を立体表示するとき、選択された前記縮小画像に対応する複数視点の前記撮像画像を、前記撮像画像中の前記検出領域にて互いに位置合わせするステップと、前記検出領域にて互いに位置合わせされた複数視点の前記撮像画像を、前記表示手段により立体表示するステップと、を備えることを特徴とする立体画像表示方法。
【手続補正１３】
【補正対象書類名】明細書
【補正対象項目名】００３５
【補正方法】変更
【補正の内容】
【００３５】
本発明によれば、縮小画像が一覧表示されたときには後の本画像の立体表示で立体視するための注目領域を予め一目で判別することができ、本画像が立体表示されたときには立体視を即座に認識することができる。
【手続補正１４】
【補正対象書類名】明細書
【補正対象項目名】００３７
【補正方法】変更
【補正の内容】
【００３７】
また、請求項２の発明によれば、前記縮小画像に前記検出領域を示す枠を重ね合わせることで、注目領域をユーザに対して容易に示すことができる。
【手続補正１５】
【補正対象書類名】明細書
【補正対象項目名】００３８
【補正方法】変更
【補正の内容】
【００３８】
また、請求項３の発明によれば、前記縮小画像中の前記検出領域の輝度を上げることで、注目領域をユーザに対して容易に示すことができる。
【手続補正１６】
【補正対象書類名】明細書
【補正対象項目名】００３９
【補正方法】変更
【補正の内容】
【００３９】
また、請求項４の発明によれば、ユーザは、どの画像が立体表示され、どの画像が立体表示されないかを、縮小画像の一覧表示の際に予め知ることができるので、立体表示されたときにはユーザに違和感を与えることがなく、また、ユーザに立体表示されるという期待感を与えることができる。
【手続補正１７】
【補正対象書類名】明細書
【補正対象項目名】００４０
【補正方法】変更
【補正の内容】
【００４０】
また、請求項５の発明によれば、縮小画像における特定対象の検出領域を、視認性良くユーザに認識させることができる。